(57)【要約】【課題】  鉄系金属部材で形成されるスロットマシンのキャビネットボックスにおいて、剛性の高い底板部の提供【解決手段】  鉄系金属材料の板金部材で形成されて前面開口を有して略矩形箱状に形成されたキャビネットボックス１と、キャビネットボックス１の前面開口を覆って取り付けられる前面扉２と、キャビネットボックス１内および前面扉２に配設される遊技装置４とから構成される遊技機において、キャビネットボックス１の底部が上底面１５ｂと下底面１５ａとからなる二重構造とする。また、上底面１５ｂと下底面１５ａとの間には雌ネジ部材７３としてのスタッドナットが配設されて、上底面１５ｂ上で遊技装置４とキャビネットボックス１とが固定されるように構成される。また、上底面１５ｂの一部が凹状に形成されて、凹部において上底面１５ｂと下底面１５ａとが固着するように構成する。【選択図】図１
2005087247.tif 000002
【特許請求の範囲】
【請求項１】
鉄系金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
前記キャビネットボックスの底部が上底面と下底面とからなる二重構造で構成されることを特徴とする遊技機のキャビネットボックス。
【請求項２】
前記上底面と前記下底面との間に雌ネジ部材が配設されて、前記上底板上で前記遊技装置の一部が前記キャビネットボックスに固定配置されるように構成されることを特徴とする請求項１に記載の遊技機のキャビネットボックス。
【請求項３】
前記上底面の一部が凹状に形成されて、凹状部において前記上底面と前記下底面とが固着するように構成されていることを特徴とする請求項１または２に記載の遊技機のキャビネットボックス。
【発明の詳細な説明】
【技術分野】
【０００１】
本発明は、遊技機のキャビネットボックスに関し、さらに詳細に言えば、金属製キャビネットボックスの底板部の構成に関する。
【背景技術】
【０００２】
キャビネットボックスを有する遊技機として、スロットマシン、ポーカー等のメダル遊技機がある。例えば、スロットマシンにおいては、前面側に開口部を有して略矩形箱状に形成されたキャビネットボックスと、このキャビネットボックスの前面開口を覆って開閉自在に取り付けられた前面扉とからなる筐体内に、電源ボックス、リール装置、制御基板、メダル払出装置等の各遊技装置が配設されて構成される。このキャビネットボックスは、内部に配設されるこれら遊技装置の重量を支えるに十分耐え得るだけの強度が要求される一方で、遊技施設内への搬出入、および設置作業等の効率化のためには重量が過度に大きくなることは好ましくない。
【０００３】
そこで、現在キャビネットボックスは、厚さ９〜１５ｍｍ程度の木材が主要材料として用いられており、天板、底板、左右側面板および背面板等を箱状に組み立てて構成されている。また、木材には電磁場に対するシールド性がないため、外来ノイズに起因する誤作動の防止にキャビネットボックス内面にシールド塗装が施される。しかしながら、工程が複雑化する上、塗装ではシールド効果が万全とは言い難いという問題があった。さらに、木材に施されるシールド塗装に金属が含まれることや、組立工程で木材に埋入される金属部材を分離回収することが困難なことから廃棄処理上においても問題がある。これらを鑑みて、シールド効果を十分に有して、且つリサイクルルートが確立されている鋼板等の金属材で形成されるキャビネットボックスの実用が検討されている。
【発明の開示】
【発明が解決しようとする課題】
【０００４】
しかしながら、主要構成材料を金属とすると、木材よりも比重が大きいことから従来のものと同重量とするには部材の厚さを薄くせざるを得なく、強度上懸念が生じる。特に、キャビネットボックスの底板上には、一般に、電源ボックスとメダル払出装置がネジ部材等の所要の固定具を介して配設されるが、中でもメダル払出装置には、頻繁に遊技メダルの補充あるいは抜取を行うことなく遊技が円滑に進行されるように、予め大量の遊技メダルを貯留するための貯留部が備えられる。このため、遊技中において、遊技メダルも含めたメダル払出装置の総重量は相当なものとなり、キャビネットボックスの底板は特に高い強度が要求される。そこで、金属製キャビネットにおいて、過度に筐体の重量を増すことなく底板の強度を向上させることが課題となっている。
【０００５】
本発明は上記のような課題および問題に鑑みて成されたものであり、遊技機のキャビネットボックス内に配設される遊技装置の重量を支えるに十分な強度を有する底板を提供することを目的とする。
【課題を解決するための手段】
【０００６】
上記課題を解決するために、本発明に係るキャビネットボックスは、鉄系金属材料の板金部材で形成されて前面開口を有して略矩形箱状に形成されたキャビネットボックスと、キャビネットボックスの前面開口を覆って取り付けられる前面扉と、キャビネットボックス内および前面扉に配設される遊技装置とから構成される遊技機において、キャビネットボックスの底部が上底面と下底面とからなる二重構造で形成されるように構成している。
【０００７】
なお、上底面と下底面との間に雌ネジ部材が配設されて、上底面上で遊技装置とキャビネット部材とが固定可能な構成とするのが好ましい。また、上底面の中央部が凹状に形成されて、この凹状部において上底面と下底面とが固着するような構成とするのが好ましい。
【発明の効果】
【０００８】
本発明によれば、底部が二重構造に形成されることから、軽量かつ高剛性であり、底板上に固定配設される電源ボックス、メダル払出装置等の遊技装置の重量に対しても安定して固定することができる。また、上底面と下底面との間に雌ネジ部材を介設した二重構造とすることによって、雌ネジ部材が支柱となり固定された遊技装置の荷重を下底板とともに支えることができることから上底板の剛性が更に高められるとともに、上底面の表側が平板状に形成されるため遊技装置の配設位置の自由度が高くなる。さらに、上底面の中央部を凹状に形成して、上底面と下底面とが固着するように構成することにより、上底板の剛性を更に高めることができる。
【発明を実施するための最良の形態】
【０００９】
以下、本発明の好ましい実施形態について図面を参照して説明する。本発明に係るキャビネットボックスを有した遊技機の一例として挙げるスロットマシンの全体的な構成について、図５，図６を参照してまず説明する。このスロットマシンＳＭは、前面が開口した略矩形箱状のキャビネットボックス１と、ヒンジ金具５１を介してキャビネットボックス１に開閉可能に取り付けられる前面扉２とから構成されており、スロットマシンＳＭの遊技装置３がキャビネットボックス１内および前面扉２に配設されて全体をなす。
【００１０】
略矩形箱状のキャビネットボックス１内に配設される遊技装置３としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいてメダルの払い出しを行うメダル払出装置３３、遊技機の出玉データ等の遊技情報を管理するために遊技施設内に設置されたホールコンピュータ（図示せず）と主制御基板３２との間を接続するインターフェイスとしての外部集中端子基板３４等があり、それぞれ図６に示すように配設される。
【００１１】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７８，７８が底面１５上に固設される。メダル払出装置３３は、このホッパーレール７８，７８のガイドにより前後方向に出入摺動するようにして取り付けられる。
【００１２】
一方前面扉２は、ドアフレーム状に成型されたフロントマスク２０に、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２２、遊技メダルを払い出すメダル払出口２３の下側に位置してメダル払出口２３から排出される遊技メダルを受容し貯留するメダル受皿２２等が取り付けられて構成されている。
【００１３】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４５、メダル投入口４１から投入した遊技メダルを返却させるときに操作するメダル返却スイッチ４６等が設けられている。
【００１４】
また、図６に示すように、前面扉２の背面側には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３８および上部表示基板３９等が取り付けられている。
【００１５】
キャビネットボックス１と前面扉２とは、正面視における互いの左側縁の上下に設けられたヒンジ金具５１，５１で横開き開閉可能に連結されるとともに、両者に配設された遊技構成装置や基板等がワイヤーハーネス（図示せず）で電気的に接続されて作動可能に構成される。また、ヒンジ金具５１，５１を介してキャビネットボックス１に連結された前面扉２を開放状態にした際には、キャビネットボックス１全体が撓み変形して前面扉２の反ヒンジ側が垂れ下がる傾向があるため、前面扉２裏側にガイドローラ５３を設け、キャビネットボックス１内にローラ受け５４を設けて、前面扉２を閉鎖したときにガイドローラ５３とローラ受け５４とを当接させて、前面扉２が水平支持されるように構成されている。さらに、前面扉２は、正面視における右側縁に取り付けられた施錠装置５２を利用してキャビネットボックス１の前面開口部を覆うように閉鎖施錠され、この閉鎖状態でスロットマシンＳＭが遊技に供される。
【００１６】
以上のように構成されるスロットマシンＳＭにおいて、図１に外観斜視図を示した本実施例のキャビネットボックス１は、板厚０．５〜１．０ｍｍ程度（例えば、０．７ｍｍ）の冷間圧延鋼板、鍍金鋼板、ステンレス鋼板等を主要構成材料として用い、これをシャーリング、パンチング、ベンディング等の公知の加工手段によりパネル部材１０に成型した後、各板金部材をスポット溶接等の接合手段により接合して組み立てている。例示するキャビネットボックス１では、天板面１１、背面１２、左右側面１３，１４、および下底面１５ａを形成するメインパネル１０ａ、上底面１５ｂを形成する上底面パネル１０ｂ、キャビネットの強度を向上させるための補強リブ１０ｃ等の各パネル部材をスポット溶接により接合して構成している。なお、開口部正面視において左側の側面を左側面１３、右側の側面を右側面１４としてこれ以降説明する。
【００１７】
キャビネットボックス１の天板面１１、背面１２、左右側面１３，１４、下底面１５ａは、所定形状に形成されたメインパネル１０ａがベンディングされて突き合わせ部が溶接により接合されることよって前面が開口した略矩形箱の各面が形成される。即ち、本実施例に係るキャビネットボックス１の基本的構造はメインパネル１０ａの一枚で成型されており、一面につき一枚のパネルを用いる等、複数枚のパネルで構成するよりも部品点数および組立工数を削減することができる。
【００１８】
天板面１１および背面１２には、キャビネット内に熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、ルーバ加工やランス加工を施して通気させることも可能である。
【００１９】
天板面１１、背面１２および左右側面１３，１４において、リール装置３１、主制御基板３２等の遊技装置３を締結固定するための雌ネジ部材７３が溶接される。雌ネジ部材７３としては、本実施例に適用したように、スタッドナットをキャビネット１内に突出するように溶接してもよいし、溶接六角ナットを各面１１〜１４の所定箇所に溶接し、溶接されたナットの呼びに合わせた貫通孔を穿設して構成してもよい。また、雌ネジ部材７３の固定手段は溶接に限らず、バーリング加工によって雌ネジ部材７３を一体成型する方法や、雌ネジ部材７３としてブラインドナットを適用し、これをかしめて固定してもよい。
【００２０】
左右側面１３，１４には、キャビネットボックス１の剛性を高めるために、エンボス加工（例えば、菱形状）が多数施されている。また、左右側面１３，１４の中央部には予め所要形状の貫通孔が穿設されており、鋼板材が絞り加工されてハット状に形成された取っ手部材７１，７１がキャビネットボックス１の内側からこの孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００２１】
また、取っ手部材７１，７１の水平に突出した絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２２】
また、天板面１１の左右には、この天板面１１の上下を貫通してスリット状の貫通孔部１１ａ，１１ａが形成されており、左右側面１３，１４において貫通孔部直下に図示しないボルトとナットを用いてキャビネット固定装置７４，７４が取り付けられる。キャビネット固定装置７４は、鋸刃状に形成された鋼板材を貫通孔部１１ａからばねの弾性力を利用することにより出入自在に操作できるよう構成されて、突出状態においてこの鋼板材を一般に木製の筐体設置枠（図示せず）に押圧して係合固定させる。このような固定方法によって、設置枠上方からの釘打ちという従来の固定手段を用いることが困難な金属製キャビネットにおいても、天板面１１と設置枠との固定が可能となる。
【００２３】
また、左側面１３には、主制御基板３２と中央制御基板３８および上部制御基板３９との間、あるいは主制御基板３２と電源ボックス３０との間等を連結するワイヤーハーネス（図示せず）を係止するための係止具が取り付けられる。このワイヤーハーネス係止具７５は、指力により変形可能な金属部材がＣ字状に形成されて、左側面１３内側にスポット溶接により接合される。なお、係止具として、従来適用されていた樹脂材で形成される結束バンドを所要の固定手段で左側面１３に固定してもよい。
【００２４】
また、キャビネットボックス１前面の開口縁部において、断面略Ｕ字状に形成された補強リブ１０ｃが辺縁部を繋ぐように周設されており、メインパネル１０ａとスポット溶接により接合されている。
【００２５】
この補強リブ１０ｃ上には、キャビネットボックス１の開口縁部に配設される遊技装置３や組立部材を取り付けるための雌ネジ部材７３としてスタッドナットが溶接されている。左側面１３に配設される補強リブ１０ｃ上には、ヒンジ金具５１，５１を締着固定するためのスタッドナットが溶接される。右側面１４に配設される補強リブ１０ｃ上には、施錠装置５２およびレール受け５４を締着固定するためのスタッドナットが溶接される。下底面１５ａに配設される補強リブ１０ｃには、メダル払出装置３３の出入摺動を平滑にさせるとともにホッパーレール７８を固定するためのブラケット（図示せず）を締着固定するためのスタッドナットが溶接される。なお、天板面１１、右側面１４、下底面１５ａに配設される補強リブ１０ｃのＵ字状凹部は直線的な平面に形成されているが、左側面１３においては、図１に示すように、ヒンジ金具５１，５１の締着固定に用いるスタッドナット周辺については、取り付けられるヒンジ金具５１，５１の奥行き分だけＵ字状凹部が背面１２方向に拡幅するように形成されている。
【００２６】
このようにして補強リブ１０ｃを設けることにより、前面扉２から受ける重量負荷を補強リブ１０ｃが受け止めてキャビネットボックス１の基本構造を成すメインパネル１０ａの撓み変形を大幅に軽減することができるとともに、水平支持のために配設されるガイドローラ５３およびローラ受け５４を大掛かりなものとする必要がなくなる。
【００２７】
また、電源ボックス３０、および外部集中端子基板３４の固定は、平板状に形成されて裏側に雌ネジ部材７３としてスタッドナットが溶接されるとともにナットの呼びに合わせて貫通孔が穿設されたブラケットパネル１０ｄ，１０ｅを介して行われる。電源ボックス３０を固定するためのブラケットパネル１０ｄは、左側面１３下部を覆うようにして配設されて、３つのフランジ部が背面１２、左側面１３、左側面１３に配設される補強リブ１０ｃにそれぞれスポット溶接により接合される。外部集中端子基板３４を固定するブラケットパネル１０ｅは、フランジが右側面１４にスポット溶接により接合される。このように配設されるブラケットパネル１０ｄ，１０ｅの平状面に、電源ボックス３０および外部集中端子基板３４がそれぞれ当接されて締結固定される。ブラケットを介してメインパネル１０ａに直接固定しないことにより、板厚が薄くなった金属製キャビネットでも従来の木工キャビネットと同様の固定位置で固定できるとともに、遊技中にキャビネットボックス１と前面扉２の間隙からピアノ線を侵入させる等の遊技不正行為に対して未然に防ぐことができる。
【００２８】
キャビネットボックス１の底面１５は、図２〜図４に示す通り、下底面１５ａを構成するメインパネル１０ａ、上底面１５ｂを構成する上底面パネル１０ｂ、強度を向上させるための補強リブ１０ｃとから構成される。
【００２９】
下底面１５ａは、前述の通り、メインパネル１０ａが曲げ加工されてキャビネットノックス１の基本構造をなすことにより形成される。また、補強リブ１０ｃは、断面視Ｕ字状に形成されて、リブ上の所定位置においてホッパーレール７８の取付ブラケットを締結するためのスタッドナットが溶接されている。補強リブ１０ｃは、Ｕ字凹状部をキャビネットボックス１の矩形状開口の下辺縁部に当接させて、スポット溶接により下底面１５ａに接合される。
【００３０】
本実施例に例示する上底面パネル１０ｂは、図３，図４に示すように、略矩形状に成型された鋼板材の３辺が下方（即ち、上底面１５ｂの裏側方向）にＶ曲げされ、他１辺が同様にＺ曲げされて形成される。また、電源ボックス３０およびホッパーレール７８を締結固定するための雌ネジ部材７３としてスタッドナットが裏側に溶接されて、表側からこのスタッドナットの呼びに合わせて貫通孔が穿設される。なお、Ｖ曲げおよびＺ曲げは、曲げ高さをスタッドナットと同長として加工される。
【００３１】
このように形成された上底面パネル１０ｂは、Ｚ曲げにより形成されたフランジ部Ｆが正面視右側となる向きで下底面１５ａのほぼ全体を被覆するように配設されて、フランジ部Ｆが下底面１５ａとスポット溶接により接合されて、平状の上底面１５ｂを形成する。上底面パネル１０ｂの裏面に溶接されたスタッドナットの他端部は、ナットと曲げ高さとが同長のため下底面１５ａに当接されて、底面１５は、上底面１５ｂと下底面１５ａとの間にスタッドナットが介設された中空二重構造となる。なお、上底面パネル１５ｂのＺ曲げによるフランジ部Ｆは１辺のみの形成に限らず、２ないし４辺形成してもよい。そしてこれら各辺において、フランジ部とフランジ部が当接する下底面１５ａとをスポット溶接により接合してもよい。
【００３２】
さらに、底面１５の中央部においては、図示するように、上底面パネル１０ｂが下方へ折曲されて凹部が設けられ、上底面１５ｂと下底面１５ａとが当接されて両者がスポット溶接により接合される。なお、上底面パネル１０ｂの下方折曲、当接を行うために、予め上底面パネル１０ｂの中央部は穴抜きされている。また、この凹部には、小孔が穿設されており、この穿孔を介してキャビネットボックス１内から、一般に木製の筐体設置枠（図示せず）に対して釘打ちすることによりキャビネットボックス１を筐体設置枠に固定することが可能となっている。
【００３３】
なお、底面１５右部においては、メダル貯留部の貯留許容量を超えた余剰メダルが設置枠台内部に配設されたメダルコンベヤ（図示せず）に回収されるように、余剰メダルを通過させて設置枠台内部へ落下させるための貫通孔が穿設されている。貫通孔は、図３に示すように、所定位置において上底面パネル１０ｂおよび下底面１５ａを形成するメインパネル１０ａが穴抜きされた後、上底面１５ｂと下底面１５ａとの間にできる中空部へのメダル落入を防ぐため上底面パネル１０ｂが中空部の高さだけ下方に絞り加工されて中空部開口が閉塞される。なお、中空部へのメダル落入を完全に防ぐためには、図３の通り、下底面１５ａも上方に絞り加工を行い、両者の絞り部を当接させることが好ましい。また、メダルコンベヤが設置されていない遊技施設においては、貫通孔の上に補助貯留ボックス７６が覆設されて、このボックス内で余剰メダルを回収する。なお、補助貯留ボックス７６は、背面１２に予め穿設された貫通孔と補助貯留ボックス７６の背面に穿設された貫通孔の両孔にボルトを貫入させて固定される。
【００３４】
以上のような底面１５の構成により、電源ボックス３０、メダル払出装置３３といった重量の大きな遊技装置を底面１５に配設した際に、従来の木工キャビネットよりも板厚が薄く強度上懸念のあった金属製キャビネットにおいて、雌ネジ部材７３として上底面１５ｂと下底面１５ａに介設された複数のスタッドナットが支柱となり両底面でこれらの荷重を支持することができる。また、雌ネジ部材を配設したことにより、従来の遊技装置の固定と同様にして、ネジ締結による安定した固定を行うことが可能となる。さらに中央部に凹状部を設けて上底面１５ｂと下底面１５ａを当接させることにより、荷重支持をさらに安定化できる。また、この凹状部に小孔を穿設することによって、従来と同様にして、筐体設置枠にキャビネットボックス１内から釘打ちすることによって固定を行うことができる。
【００３５】
なお、本実施例において、本発明に係るキャビネットボックスを適用した遊技機としてスロットマシンを例示したが、本発明はこれに限定されるものではなく、ポーカー、ブラックジャック等、他の遊技機のキャビネットボックスであっても同様に適用可能であり、同様の効果を得ることができる。
【図面の簡単な説明】
【００３６】
【図１】本発明に係るキャビネットボックスの外観斜視図である。
【図２】本発明に係るキャビネットボックスの底板部の平面図である。
【図３】本発明に係るキャビネットボックスの底板部の断面図であり、図２中にIII−III矢視で示す矢視図である。
【図４】本発明に係るキャビネットボックスの底板部の断面図であり、図２中にIV−IV矢視で示す矢視図である。
【図５】本発明に係るキャビネットボックスを適用したスロットマシンの外観斜視図である。
【図６】上記スロットマシンのフロントマスクを開放して内部構造を示す正面図である。
【符号の説明】
【００３７】
ＳＭ  スロットマシン
１  キャビネットボックス
２  前面扉
３  遊技装置
４  操作部
１０  パネル部材
１０ａ  メインパネル
１０ｂ  上底面パネル
１０ｃ  補強リブ
１５  底面
１５ａ  下底面
１５ｂ  上底面
３０  電源ボックス
３３  メダル払出装置
５１  ヒンジ金具
５２  施錠装置
７３  雌ネジ部材
７７  ホッパーレール
【図１】
2005087247.tif 000003
【図２】
2005087247.tif 000004
【図３】
2005087247.tif 000005
【図４】
2005087247.tif 000006
【図５】
2005087247.tif 000007
【図６】
2005087247.tif 000008